(57)【要約】【課題】筒状プラスチックフィルム製袋の密着開口部を確実にかつ敏速に拡開処理できる拡開方法及びその装置を提供する。【解決手段】袋２の開口部２’をその表裏から吸着して拡開させる吸着部材３，３と、該吸着部材３，３を支持して上下に昇降させる昇降杵４を備えた第１昇降手段５と、該第１昇降手段５の近傍に配設され、該第１昇降手段５の作動前にその昇降杵４に係合すると共に該昇降杵４を緩慢にかつ僅少の距離昇降させる第２昇降手段６とからなることを特徴とする口部拡開装置１とする。【選択図】図２ 
2005144913.tif 000002
【特許請求の範囲】
【請求項１】
筒状プラスチックフィルムから成形された袋の開口部を表裏から吸着部材により吸着して拡開させる口部拡開方法において、前記吸着部材の上下方向へ離間する移動速度を初速度は緩慢に、その後は急速に行うことを特徴とする筒状プラスチックフィルム製袋の口部拡開方法。
【請求項２】
袋の開口部をその表裏から吸着して拡開させる吸着部材と、該吸着部材を支持して上下に昇降させる昇降杵を備えた第１昇降手段と、該第１昇降手段の作動前にその昇降杵に係合すると共に該昇降杵を緩慢に、かつ僅少の距離昇降させる第２昇降手段とからなることを特徴とする筒状プラスチックフィルム製袋の口部拡開装置。
【請求項３】
前記第２昇降手段は略クサビ状の先端部を具備した昇降杵を有すると共に該昇降杵の左右方向への作動により、前記先端部が前記第１昇降手段の昇降杵の基部に係合摺動可能に配設してある請求項２記載の筒状プラスチックフィルム製袋の口部拡開装置。
【発明の詳細な説明】
【技術分野】
【０００１】
本発明はインフレーションチューブのような筒状プラスチックフィルム製の袋の開口部に口部構成材のポートを挿入して気密状態に溶着するに際して密着状態の袋の口部を確実に開口できる筒状プラスチックフィルム製袋の口部拡開方法及びその装置に関する。
【背景技術】
【０００２】
インフレチューブなどにみられる密着状態のプラスチックフィルム製の袋を順次機械的に開口処理する技法として、例えば特許文献１に記載されているような一部未シールに製袋された袋の開口部をその表裏から吸着部材（バキュームパット）により、吸着して離隔させ拡開することが行われている。
【０００３】
そして、この際吸着部材を支持して昇降する手段としてはエアシリンダ等が多用されている。
【特許文献１】特開２００１−２９３７９８号公報（第５頁左欄３３〜３５行目及び図１１）
【発明の開示】
【発明が解決しようとする課題】
【０００４】
本発明が解決しようとする問題点は、袋の開口部をその表裏から吸着部材により吸着して拡開する際に必ずしも全ての開口部がうまく拡開されるとは限らないという点にある。
このことは、インフレーションチューブのような筒状プラスチックフィルム製の袋等は開口部の拡開処理前に幾重にも積み重ねたり、あるいは工程の機械による加重圧力によって表裏のフィルム同士が固く密着（以下、たんに「ブロッキング」ともいう）している場合があり、これを一気に剥がして開口部として拡開するには、初期の吸着後の剥がし速度を緩慢に調整する必要があるが、剥がし速度を緩慢にすると拡開処理に時間がかかり、効率が悪くなるので、やむを得ず、多少の拡開不良が生じるリスクを承知の上で一定速度で拡開処理しているのが現状である。
本発明は、以上の問題を解決するためになされたもので、全ての袋の開口部を確実に、かつ敏速に拡開処理し得る筒状プラスチックフィルム製袋の口部の拡開方法及びその装置を提供することを目的とする。
【課題を解決するための手段】
【０００５】
すなわち、本発明筒状プラスチックフィルム製袋の拡開方法は、筒状プラスチックフィルムから成形された袋の開口部を表裏から吸着部材により吸着して拡開させる口部拡開方法において、前記吸着部材の上下方向へ離間する移動速度を初速度は緩慢に、その後は急速に行うことを特徴とし、この拡開方法を達成するための本発明の筒状プラスチックフィルム製袋の拡開装置は、袋の開口部をその表裏から吸着して拡開させる吸着部材と、該吸着部材を支持して上下に昇降させる昇降杵を備えた第１昇降手段と、該第１昇降手段の作動前にその昇降杵に係合すると共に該昇降杵を緩慢に、かつ僅少の距離昇降させる第２昇降手段とからなることを特徴とする。
【０００６】
この際、前記第２昇降手段は略クサビ状の先端部を具備した昇降杵を有すると共に該昇降杵の左右方向への作動により、その先端部が前記第１昇降手段の昇降杵の基部に係合摺動可能に配設してある。
このような構成にすることにより、口部を拡開されるプラスチックフィルム製袋は、先ず最初にフィルム同士が密着した部分を表裏から吸着部材によってゆっくりとしかも強力に極く僅か離間され、同時にフィルム密着部に少量の空気が導入される。
これにより、フィルムのブロッキングは解除状態とされるので、その後はフィルムの表裏の吸着部材を急速に離間させても拡開不能にならず、スムーズに拡開処理できることになり、処理能率の低下もなくなるのでよい。
【０００７】
また、本発明の筒状プラスチックフィルムフィルム製袋の拡開装置として、第１の昇降手段と第２昇降手段を用いることは、吸着部材の昇降速度を緩慢から急速へ確実に切り換えが出来ると共に装置の構造を単純にかつ安価なものにできるので望ましい。
そして、第２昇降手段を略クサビ状の先端部を備えた昇降杵を有するものとして、昇降杵を左右方向ヘ作動させる、上記構造とすることは第２昇降手段を通常の速度で作動させても第１昇降手段の昇降杵は緩慢にかつ力強く昇降する（ブロッキングを壊す）ことになり、フィルムの開口部はクサビの打ちこまれた幅に相当する長さ分だけ確実に拡開できるのでよい。
【発明の効果】
【０００８】
本発明の筒状のプラスチックフィルム製袋の口部拡開方法は、吸着部材の上下方向へ離間する速度の初速度を緩慢にし、その後は急速に行うので、袋のブロッキングによる拡開不能を生じることなく、確実にしかも拡開能率を落とすことなく拡開処理できる。
また、その口部拡開装置は、袋の拡開を第１と第２昇降手段によって２段階動作で行う構造としてあるので、袋開口の最初の拡開を力強く、しかも緩慢にすることが容易となり、ブロッキングによる袋拡開不能による処理上の障害を克服することができる。
この際、第２昇降手段の昇降杵の先端部をクサビ状としてあることより、第２昇降手段の昇降速度を特別に操作することなく、吸着部材を支持している第１昇降手段をクサビの打ちこまれた幅に相当する距離分だけ緩慢に、かつ強力に昇降させることができる。
【発明を実施するための最良の形態】
【０００９】
以下、本発明の方法と装置を図面に示す実施の形態を参照して説明する。
【実施例１】
【００１０】
図１は、本発明によって筒状プラスチックフィルム製袋の開口部が拡開される工程の一例を示す斜視図であり、図２は図１における袋の開口部の拡開装置の構造の一実施例を示す側面説明図である。
本実施例における筒状プラスチックフィルム製袋の口部拡開装置１は袋２の開口部２’をその表裏から吸着して拡開させる吸着部材３，３を支持して上下に昇降させる昇降杵４を備えた第１昇降手段（エアシリンダ）５と、この第１昇降手段５の近傍に配設された第２昇降手段（エアシリンダ）６を具有している。この際、上記第１及び第２昇降手段は袋１の載置台（コンベア等）７の上下方の少なくとも一方に配設してある。
第２昇降手段６の昇降杵６’の先端は略クサビ状８に成形されると共に第１昇降手段５の昇降杵４に付設してある一対のロール４’、４’間で左右方向へ係合摺動可能とされている。
次に本実施例１の作用について説明する。
【００１１】
このような構造としてある袋の開口部拡開装置１は、その吸着部材３，３間に袋の開口部２’が挿入されるとまず、第１昇降手段２の作動によって袋２の表裏は吸着部材（吸着パッド）３，３により押圧され吸着支持される。次に第２昇降手段６の作動をさせることによって、その昇降杵のクサビ状先端部６’は第１昇降手段５の昇降杵４の一対のロール４’、４’間に挿入されることで第１昇降手段５の昇降杵４及びこれに支持された吸着部材３，３を互いに離隔する方向へ僅少距離だけ煖慢にかつ強力に移動させられる。
これにより、ブロッキング現象により固く閉じた袋２の開口部２’であってもほんの僅か開口され袋２の開口部の内側に空気が導入される。
引き続き第１昇降手段５を作動させることによって吸着部材３，３はさらに離隔され、袋２の開口部２’は敏速にかつ完全に拡開される。
【００１２】
尚、以上の第１及び第２昇降手段は図示しない電気的制御手段の指示により、順次作動させられるものである。
【実施例２】
【００１３】
図３は、図１における袋の開口部の拡開装置の構造の他の実施例を示す側面説明図であり、図４は本発明の開口部の拡開装置に係る吸着部材の移動速度の一実施例を示す図表である。
図３において、拡開装置１１は、袋２の開口部２’をその表裏から吸着して拡開させる吸着部材を具有しており、該吸着部材３，３は固定枠体１２に添って摺動自在に嵌合された摺動部材１３にそれぞれ支持されている。また、前記固定枠体１２は第１昇降手段５の昇降杵４に添設してある固定台１４上面に固定してあり、この固定枠体１２と前記摺動部材１３は夫々の１側壁をスライダ１５で係合され、スライダ１５の左右の出入れによって摺動部材１３は強大な力で上下に微動する構造としてある。そしてこのスライダ１５を左右に摺動させるために、スライダ１５の一端側は前記固定台１４上に別途配設された第２昇降手段６の昇降杵６’に連結してある。
このような構造にしてあることにより、まず第２昇降手段６’を作動し、次に第１昇降手段４を作動させることによって袋２の表裏にある吸着部材３，３を最初は強大な力で煖慢に、その後は迅速に上下方向に離隔出来るものである。
【００１４】
なお、本実施例２ではスライダ１５の両側縁を固定枠体１２と摺動部材１３の間でスライドさせて吸着部材３，３を煖慢にかつ強力に昇降させる構造を具有しているが、これに限らず、他の技法としてスライダの代わりに固定ロールを使用し固定枠体１２と摺動部材１３の代わりに屈曲溝付のカムを配設して、前記回転ロールを該溝内を摺動可能な構造とすることもできる。
このように第２昇降手段６’の全伸縮ストロークを第１昇降手段４のストロークを強力に微動させるものに変えることができる構造を具有しておればよい。
【産業上の利用可能性】
【００１５】
本発明は合成樹脂製の袋が使用されている店舗（スーパー等）の品物収容用の袋が使用されている。店舗（スーパー等）の品物収納用の袋の開口装置として用いることもできる。
【図面の簡単な説明】
【００１６】
【図１】筒状プラスチックフルム製袋装置の開口部が拡開される工程の一例を示す斜視図。
【図２】図１における袋開口部の拡開装置の一実施例を示す側面説明図。
【図３】図１における袋開口部の拡開装置の他の実施例を示す側面説明図。
【図４】本発明に係る吸着部材の移動速度の変化の一例を示す図表。
【符号の説明】
【００１７】
１  筒状プラスチックフィルムの製袋の口部拡開装置
２  プラスチック製袋
２’袋の開口部
３  吸着部材（吸着パッド）
４  昇降杵
４’ロール
５  第１昇降手段（エアシリンダ）
６  第２昇降手段（エアシリンダ）
６’クサビ状先端部
７  載置台（コンベア）
９  ポート
１０  吸入孔（ずれ防止用）
１１  基枠
１２  固定枠体
１３  摺動部材
１４  固定台
１５  スライダ
１６  溝カム
【図１】
2005144913.tif 000003
【図２】
2005144913.tif 000004
【図３】
2005144913.tif 000005
【図４】
2005144913.tif 000006